(57)【特許請求の範囲】
【請求項１】
外部機器が接続されて、当該外部機器との間で授受されるデータを信号処理及び中継する情報機器と、前記情報機器に電力を供給する電力供給部と、前記電力供給部から前記情報機器への電力供給を制限する省電力動作モードの移行及び解除を設定する手段とを備え、前記省電力動作モードの移行及び解除を設定する手段は、前記情報機器に接続される外部機器にブレーカを介して電力を供給する分電盤と、前記分電盤内のブレーカに具備されて、当該ブレーカを介して電力を供給される前記外部機器の消費電力を監視し、前記消費電力に応じて前記省電力動作モードの移行及び解除を設定する電力監視回路とからなることを特徴とする情報配線盤。
【請求項２】
省電力動作モードの移行及び解除を設定する手動の操作スイッチを付加したことを特徴とする請求項１記載の情報配線盤。
【発明の詳細な説明】
【０００１】
【発明の属する技術分野】
本発明は、通信系機器や映像系機器を家庭内に配線したり、前記機器に電力を供給するための情報配線盤に関するものである。
【０００２】
【従来の技術】
従来の情報配線盤のブロック図、及び家庭内ネットワークの構成例を図６に示す。情報配線盤１は、ターミナルアダプタ２（以下ＴＡ２と表す。）、ホームネットワークアダプタ３、分配器４、ＣＳ、ＢＳ／ＵＶブースタ５及びＥＴＨＥＲＮＥＴハブ６の情報機器と、交流電源７０に接続されて前記情報機器に電力を供給する電力供給部７とから構成される。
【０００３】
ＴＡ２は、ＩＳＤＮ回線を接続するＤＳＵ２７と、電源部２８と、アナログポート２９、３０とから構成され、ＤＳＵ２７はＴＡ２の内部回路を介してアナログポート２９，３０に接続している。
【０００４】
ホームネットワークアダプタ３は、ホームネットワークアダプタ３の内部で互いに接続しているアナログポート３１、３２と、ＥＴＨＥＲＮＥＴコネクタ３３と、電源部３４とから構成されている。ＥＴＨＥＲＮＥＴハブ６はＥＴＨＥＲＮＥＴコネクタ３５〜３９と、電源部４４とから構成されている。
【０００５】
ＩＳＤＮ回線９は、ＴＡ２のＤＳＵ２７に接続され、アナログポート２９はホームネットワークアダプタ３のアナログポート３１に接続される。アナログポート３１とホームネットワークアダプタ３内で接続しているアナログポート３２はアナログ電話配線系２５に接続され、アナログ電話配線系２５は、アナログポート４０、４１を介してアナログ電話１４、１５に各々接続され、またアナログポート４２はパソコン１７に接続されているモデム１６に接続される。
【０００６】
また、ＥＴＨＥＲＮＥＴコネクタ３６〜３９はＬＡＮ配線系２６を介して各々パソコン１８〜２１に接続される。
【０００７】
ＵＨＦアンテナ１０とＶＨＦアンテナ１１とはＵ／Ｖ混合器１３を介して、またＣＳやＢＳのアンテナ１２は直接ＣＳ、ＢＳ／ＵＶブースタ５に入力され、ＣＳ、ＢＳ／ＵＶブースタ５の出力は、分配器４を介してテレビ２２〜２４の各アンテナ端子に入力される。
【０００８】
また、ＴＡ２の電源２８と、ホームネットワークアダプタ３の電源３４と、ＥＴＨＥＲＮＥＴハブ６の電源４４と、ＣＳ、ＢＳ／ＵＶブースタ５の電源４５とは、電力供給部７に設けられたコンセントに対して脱着自在なプラグ７２〜７５を接続することにより電力供給部７から各々電力が供給される。
【０００９】
【発明が解決しようとする課題】
前記のような従来の情報配線盤を使った構成では、情報機器に接続されている通信系機器や映像系機器のような外部機器を使用している時と使用していない時との情報配線盤自体の消費電力はほぼ同等であり、外部機器を使用していない時に、省電力化を行うことができなかった。
【００１０】
本発明は、上記事由に鑑みてなされたものであり、その目的は、接続されている外部機器の状態によって、情報配線盤の動作を省電力動作モードに移行させたり、解除させることで消費電力を低減させることができる情報配線盤を提供することにある。
【００１１】
【課題を解決するための手段】
請求項１の発明は、外部機器が接続されて、当該外部機器との間で授受されるデータを信号処理及び中継する情報機器と、前記情報機器に電力を供給する電力供給部と、前記電力供給部から前記情報機器への電力供給を制限する省電力動作モードの移行及び解除を設定する手段とを備え、前記省電力動作モードの移行及び解除を設定する手段は、前記情報機器に接続される外部機器にブレーカを介して電力を供給する分電盤と、前記分電盤内のブレーカに具備されて、当該ブレーカを介して電力を供給される前記外部機器の消費電力を監視し、前記消費電力に応じて前記省電力動作モードの移行及び解除を設定する電力監視回路とからなることを特徴とし、情報機器に接続している外部機器との通信がない場合や、情報機器に接続している端末を使用しないときには省電力動作モードに移行して情報配線盤自体の消費電力を低減でき、また前記外部機器、端末を使用するときは省電力動作モードを解除することができる。さらに、操作スイッチを操作することなく、外部機器の消費電力を監視して、前記監視した消費電力が小さいと自動で省電力動作モードに移行して情報配線盤自体の消費電力を低減でき、前記監視した消費電力が大きいと自動で省電力動作モードを解除したり、省電力モードへの移行をできなくすることができる。
【００１２】
請求項２の発明は、請求項１の発明において、省電力動作モードの移行及び解除を設定する手動の操作スイッチを付加したことを特徴とし、前記省電力動作モードの移行及び解除の設定を手動及び自動で行うことができる。
【００１３】
【発明の実施の形態】
以下、本発明の実施の形態を図面に基づいて説明する。
【００１４】
（参考例１）
図１は本参考例１の情報配線盤のブロック図、及び家庭内ネットワークの構成例を示しているが、基本的な構成は図６に示す従来例の情報配線盤のブロック図、及び家庭内ネットワークの構成図と略同じであって、本参考例１では、省電力動作モードへの移行及び解除を設定する操作スイッチ８と、電力供給部７から外部機器への電力の供給を制限する切断回路４３とが付加された点が相違する。他の構成は図６に示す従来例と同じなので、同一の構成要素には同一の符号を付して説明は省略する。
【００１５】
外出時、就寝時等、情報配線盤１内の電力供給部７から電力を供給されている情報機器であるＴＡ２と、ホームネットワークアダプタ３と、ＣＳ、ＢＳ／ＵＶブースタ５と、ＥＴＨＥＲＮＥＴハブ６とを使用しない時に操作スイッチ８を操作することで、省電力動作モードに移行させる省電力動作信号は切断回路４３に入力され、切断回路４３は電力供給部７から全ての前記情報機器に供給している電力を制限し、省電力動作モードに移行して、情報配線盤１の消費電力は低減する。
【００１６】
省電力動作モードを解除する時は、操作スイッチ８を操作することで、省電力動作モードを解除させる解除信号は切断回路４３に入力され、切断回路４３は省電力動作モードを解除して、電力供給部７は通常の電力供給を行う。
【００１７】
また、本参考例１では示していないが、省電力動作モード時に、ＩＳＤＮ回線９、アナログ電話１４、１５、パソコン１７のいずれかから、通信要求信号が送信された場合に省電力動作モードを自動で解除するように、通信要求信号を受信する受信回路を設けて、前記受信回路からの解除信号を切断回路４３に入力して、切断回路４３が省電力動作モードを解除してもよい。
【００１８】
そして、前記同様に本参考例１では示していないが、複数の操作スイッチを使用することで、各情報機器毎に電力の供給を省電力動作モードに移行及び解除させてもよい。
【００１９】
なお、本参考例１では、省電力動作モード時に電力供給部７から前記情報機器に供給している電力を制限しているが、省電力動作モード時に電力供給部７から前記情報機器に供給している電力を停止させてもよい。
【００２０】
（参考例２）
図２は本参考例２の情報配線盤のブロック図、及び家庭内ネットワークの構成例を示しているが、基本的な構成は図１に示す参考例１の情報配線盤のブロック図、及び家庭内ネットワークの構成図と略同じであって、本参考例２では、電力供給部７から電力を供給されている情報機器であるＴＡ２、ホームネットワークアダプタ３、ＣＳ、ＢＳ／ＵＶブースタ５、ＥＴＨＥＲＮＥＴハブ６の各々の消費電流を監視する電流監視回路５０が付加された点が相違する。他の構成は図１に示す参考例１と同じなので、同一の構成要素には同一の符号を付して説明は省略する。
【００２１】
本参考例２において、前記各情報機器の消費電流は、電流監視回路５０で監視されている。
【００２２】
前記各情報機器に接続している通信系機器や映像系機器等の外部機器を使用していない時、電力供給部７から前記各情報機器を介して前記外部機器に供給している電流は低減する。
【００２３】
そこで、電流監視回路５０で監視している前記各情報機器の消費電流が所定の値より小さくなると、消費電流が小さくなった情報機器に接続している外部機器は使用していない状態、即ち休止状態であると判断し、電流監視回路５０は省電力動作モードに移行させる省電力動作信号を切断回路４３に出力する。そして切断回路４３は、電力供給部７から、前記情報機器の内、休止状態であると判断した外部機器に接続している情報機器に供給している電力のみをを制限する省電力動作モードに移行し、情報配線盤１の消費電力は低減する。
【００２４】
そして、休止状態だった外部機器が動作状態になると、前記外部機器が接続された情報機器の消費電流が所定の値よりも大きくなり、電流監視回路５０は、前記外部機器は動作状態であると判断し、電流監視回路５０は省電力動作モードを解除する解除信号を切断回路４３に出力する。そして切断回路４３は、電力供給部７から前記情報機器に供給している電力の制限を解除して、省電力動作モードを解除する。
【００２５】
また、操作スイッチ８による省電力動作モードの移行及び解除の設定は、参考例１同様行うことができる。
【００２６】
なお、本参考例２では、省電力動作モード時に電力供給部７から休止状態と判断した外部機器に接続している情報機器に供給している電力を制限しているが、省電力動作モード時に電力供給部７から前記情報機器に供給している電力を停止させてもよい。しかしこの場合、省電力動作モードに移行して供給電力を停止された情報機器に接続している外部機器を再び使用するには、操作スイッチ８によって省電力動作モードを解除して使用する。
【００２７】
（参考例３）
図３は本参考例３の情報配線盤のブロック図、及び家庭内ネットワークの構成例を示しているが、基本的な構成は図１に示す参考例１の情報配線盤のブロック図、及び家庭内ネットワークの構成図と略同じであって、本参考例３では、給電監視タイマー回路５１が付加された点が相違する。他の構成は図１に示す参考例１と同じなので、同一の構成要素には同一の符号を付して説明は省略する。
【００２８】
本参考例３において、予め設定した時刻になった時、給電監視タイマー回路５１は、省電力動作モードに移行させる省電力動作信号を切断回路４３に出力する。そして切断回路４３は、電力供給部７から電力を供給されている情報機器であるＴＡ２と、ホームネットワークアダプタ３と、ＣＳ、ＢＳ／ＵＶブースタ５と、ＥＴＨＥＲＮＥＴハブ６とに供給している電力を制限して、省電力動作モードに移行し、情報配線盤１の消費電力は低減する。
【００２９】
そして、省電力動作モードに移行してから予め設定した時間が経過した時に、給電監視タイマー回路５１は省電力動作モードを解除させる解除信号を切断回路４３に出力すると、切断回路４３は、電力供給部７から前記情報機器に供給している電力の制限を解除して、省電力動作モードを解除する。
【００３０】
また、操作スイッチ８による省電力動作モードの移行及び解除の設定は、参考例１同様行うことができる。
【００３１】
そして、本参考例３では示していないが、給電監視タイマーによって省電力動作モードに移行及び解除できる情報機器を予め設定できるようにして、全ての情報機器を省電力動作モードに移行及び解除させずに一部の情報機器のみを省電力動作モードに移行及び解除させてもよい。
【００３２】
なお、本参考例３では、省電力動作モード時に電力供給部７から前記情報機器に供給している電力を制限しているが、省電力動作モード時に電力供給部７から前記情報機器に供給している電力を停止させてもよい。
【００３３】
（参考例４）
図４は本参考例４の情報配線盤のブロック図、及び家庭内ネットワークの構成例を示しているが、基本的な構成は図１に示す参考例１の情報配線盤のブロック図、及び家庭内ネットワークの構成図と略同じであって、本参考例４では、送受信回路５２と、アナログポート５４とからなる遠隔操作回路が付加された点が相違する。他の構成は図１に示す参考例１と同じなので、同一の構成要素には同一の符号を付して説明は省略する。
【００３４】
本参考例４において、省電力動作モードに移行させるコマンド、または解除させるコマンドを各々の情報機器毎に予め定めて、外出先からＩＳＤＮ回線９を介して、前記コマンドを送信すると、ＴＡ２と、アナログポート５４とを介して送受信回路５２は前記コマンドを受信する。送受信回路５２は、受信した前記コマンドに応じて省電力動作モードに移行させる省電力動作信号、または省電力動作モードを解除させる解除信号を切断回路４３に出力する。そして、省電力動作信号を切断回路４３が受信すると、電力供給部７から電力を供給されている情報機器であるＴＡ２と、ホームネットワークアダプタ３と、ＣＳ、ＢＳ／ＵＶブースタ５と、ＥＴＨＥＲＮＥＴハブ６の内、予め前記コマンドによって指示されている情報機器に供給している電力のみを制限して、省電力動作モードに移行し、情報配線盤１の消費電力は低減する。
【００３５】
解除信号を切断回路４３が受信すると、切断回路４３は、電力供給部７から前記情報機器に供給している電力の制限を解除して省電力動作モードを解除する。
【００３６】
屋内において、アナログ電話１４、１５とパソコン１７のいずれかが前記コマンドを送信すると、前記コマンドはアナログ電話配線系２５と、ホームネットワークアダプタ３と、アナログポート５４とを介して送受信回路５２に入力され、前記同様に省電力動作モードへの移行または解除を行うこともできる。
【００３７】
また、操作スイッチ８による省電力動作モードへの移行及び解除の操作は、参考例１同様行うことができる。
【００３８】
なお、本参考例４では、省電力動作モード時に電力供給部７から前記情報機器に供給している電力を制限しているが、省電力動作モード時に電力供給部７から前記情報機器に供給している電力を停止させてもよい。しかし、供給電力を停止された情報機器に接続している外部機器との通信は行えないため、省電力動作モードの解除は、他の外部機器からの遠隔操作、および操作スイッチ８によって解除する。
【００３９】
（実施形態１）
図５は本実施形態１の情報配線盤のブロック図、及び家庭内ネットワークの構成例を示しているが、基本的な構成は図１に示す参考例１の情報配線盤のブロック図、及び家庭内ネットワークの構成図と略同じであって、同一の構成要素には同一の符号を付して説明は省略する。
【００４０】
本実施形態１において、情報配線盤１に接続されているパソコン１９〜２１とビデオデッキ６７とに電力を供給している分電盤６０は、ブレーカ６１〜６６を有し、ブレーカ６１〜６６は各々電力監視回路６１ａ〜６６ａを有している。そして、ビデオデッキ６７はブレーカ６２を介して電力を供給され、パソコン１９、２０、２１は各々ブレーカ６６、６５、６４を介して電力を供給される。
【００４１】
本実施形態１では、電力監視回路６１ａ〜６６ａにより各々のブレーカの通電電力を監視することで、各ブレーカ６１〜６６に接続している外部機器の消費電力を監視する。電力監視回路６１ａ〜６６ａは、監視している外部機器の消費電力が所定の値より小さくなると、その外部機器は使用していない状態、即ち休止状態であると判断し、電力監視回路６１ａ〜６６ａは、省電力動作モードに移行させる省電力動作信号を切断回路４３に各々出力する。そして切断回路４３は、電力供給部７から前記休止状態であると判断した外部機器に電力を供給している情報機器への電力の供給を制限して、省電力動作モードに移行し、情報配線盤１の消費電力は減少する。
【００４２】
そして、休止状態だった外部機器が再び動作状態になると、前記外部機器の消費電力が所定の値よりも大きくなり、前記外部機器を接続しているブレーカの電力監視回路は、前記外部機器は動作状態であると判断し、電力監視回路５０は省電力動作モードを解除する解除信号を切断回路４３に出力する。そして切断回路４３は、電力供給部７から省電力動作モードに移行している前記情報機器に供給している電力の制限を解除して、省電力動作モードを解除する。
【００４３】
ブレーカ６２内に設けた電力監視回路６２ａはビデオデッキ６７の消費電力を、またブレーカ６５内に設けた電力監視回路６５ａはパソコン２０の消費電力を監視して、各々の監視結果を切断回路４３に入力する。
【００４４】
ここで、ビデオデッキ６７の消費電力の監視結果が所定値より大きく、パソコン２０の消費電力の監視結果が所定値より小さい場合は、ビデオデッキ６７が接続されているブレーカ６２内に設けた電力監視回路６２ａは、ビデオデッキ６７は動作中であると判断し、パソコン２０が接続されているブレーカ６５内に設けた電力監視回路６５ａは、パソコン２０は休止中であると判断して省電力動作モードに移行させる省電力動作信号を切断回路４３に出力する。
【００４５】
そして、切断回路４３は、パソコン２０を接続しているＥＴＨＥＲＮＥＴハブ６に供給している電力のみを制限して、省電力動作モードに移行し、情報配線盤１の消費電力は低減する。
【００４６】
パソコン２０が再び動作を開始すると、電力監視回路６５ａで監視している消費電力の監視結果が所定値より大きくなり、電力監視回路６５ａは、パソコン２０は動作状態であると判断して、省電力動作モードを解除させる解除信号を切断回路４３に出力する。そして、切断回路４３は、ＥＴＨＥＲＮＥＴハブ６に供給している電力の制限を解除し、省電力動作モードを解除する。
【００４７】
このように本実施形態１では、消費電力を監視する外部機器を予め定めておき、その特定の外部機器の消費電力を監視して、その監視結果によりその外部機器が動作状態か、休止状態かを判断し、休止状態であると判断された外部機器または、休止状態であると判断された外部機器を含む複数の外部機器を接続している情報機器に供給している電力を停止または制限して、省電力動作モードに移行させる。
【００４８】
また、操作スイッチ８による省電力動作モードへの移行及び解除の操作は、参考例１同様行うことができる。
【００４９】
なお、本実施形態１では、省電力動作モード時に電力供給部７から休止状態と判断した外部機器に接続している情報機器に供給している電力を制限しているが、省電力動作モード時に電力供給部７から前記情報機器に供給している電力を停止させてもよい。しかしこの場合、省電力動作モードに移行して供給電力を停止された情報機器に接続している外部機器を再び使用するには、操作スイッチ８によって省電力動作モードを解除して使用する。
【００５０】
【発明の効果】
請求項１の発明は、外部機器が接続されて、当該外部機器との間で授受されるデータを信号処理及び中継する情報機器と、前記情報機器に電力を供給する電力供給部と、前記電力供給部から前記情報機器への電力供給を制限する省電力動作モードの移行及び解除を設定する手段とを備え、前記省電力動作モードの移行及び解除を設定する手段は、前記情報機器に接続される外部機器にブレーカを介して電力を供給する分電盤と、前記分電盤内のブレーカに具備されて、当該ブレーカを介して電力を供給される前記外部機器の消費電力を監視し、前記消費電力に応じて前記省電力動作モードの移行及び解除を設定する電力監視回路とからなることを特徴とし、情報機器に接続している外部機器との通信がない場合や、情報機器に接続している端末を使用しないときには省電力動作モードに移行して情報配線盤自体の消費電力を低減でき、また前記外部機器、端末を使用するときは省電力動作モードを解除することができるという効果がある。さらに、操作スイッチを操作することなく、外部機器の消費電力を監視して、前記監視した消費電力が小さいと自動で省電力動作モードに移行して情報配線盤自体の消費電力を低減でき、前記監視した消費電力が大きいと自動で省電力動作モードを解除したり、省電力モードへの移行をできなくすることができるという効果がある。
【００５１】
請求項２の発明は、請求項１の発明において、省電力動作モードの移行及び解除を設定する手動の操作スイッチを付加したことを特徴とし、前記省電力動作モードの移行及び解除の設定を手動及び自動で行うことができるという効果がある。
【図面の簡単な説明】
【図１】  参考例１の情報配線盤のブロック図、及び家庭内ネットワークの構成例を示す図である。
【図２】  参考例２の情報配線盤のブロック図、及び家庭内ネットワークの構成例を示す図である。
【図３】  参考例３の情報配線盤のブロック図、及び家庭内ネットワークの構成例を示す図である。
【図４】  参考例４の情報配線盤のブロック図、及び家庭内ネットワークの構成例を示す図である。
【図５】  実施形態１の情報配線盤のブロック図、及び家庭内ネットワークの構成例を示す図である。
【図６】  従来例の情報配線盤のブロック図、及び家庭内ネットワークの構成例を示す図である。
【符号の説明】
１  情報配線盤
２  ＴＡ
３  ホームネットワークアダプタ
５  ＣＳ、ＢＳ／ＵＶブースタ
６  ＥＴＨＥＲＮＥＴハブ
７  電力供給部
８  操作スイッチ
４３  切断回路
【図１】
0004134489.tif 000002
【図２】
0004134489.tif 000003
【図３】
0004134489.tif 000004
【図４】
0004134489.tif 000005
【図５】
0004134489.tif 000006
【図６】
0004134489.tif 000007